(57)【要約】【課題】導体引出棒の端部と電力ケーブル導体の端末に接続された導体固定端子とを接続する際に導体引出棒を覆う端末本体の損傷を防止するようにした気中終端接続箱を提供する。【解決手段】両端部２ｂ，２ｃが夫々電力ケーブル３０，４０に接続される導体引出棒２と、導体引出棒の周囲を覆い両端部２ｂ，２ｃを突出させた端末本体３とを備え、導体引出棒の一方の端部２ｂを電力ケーブル４０に接続された導体固定端子４５の導体挿入穴４５ｃに嵌合して接続する気中終端接続箱１であって、導体引出棒の端部２ｂの端末本体の端部３ｃ近傍位置にストッパ２ｆを形成して導体固定端子の導体挿入穴４５ｃの周縁部が端末本体の端部３ｃに当たることを防止する構成としたものである。【選択図】図１
2007151310.tif 000002
【特許請求の範囲】
【請求項１】
両端部が夫々電力ケーブルに接続される導体引出棒と、前記導体引出棒の周囲を覆い両端部を突出させた端末本体とを備え、前記導体引出棒の一方の端部を電力ケーブルに接続された導体固定端子の導体挿入穴に嵌合して接続する気中終端接続箱であって、
前記導体引出棒の端部の前記端末本体の端部近傍位置にストッパを形成して前記導体挿入穴の周縁部が前記端末本体の端部に干渉することを防止することを特徴とする気中終端接続箱。
【請求項２】
前記端末本体はゴム部材で形成されていることを特徴とする、請求項１に記載の気中終端接続箱。
【請求項３】
前記ストッパは導体引出棒の端部にリング状に形成されていることを特徴とする、請求項１又は請求項２に記載の気中終端接続箱。
【発明の詳細な説明】
【技術分野】
【０００１】
本発明は、電力ケーブル同士を接続する気中終端接続箱に関する。
【背景技術】
【０００２】
電力ケーブル同士を接続する気中終端接続箱として例えば、下端部に導体挿入口を有する導体引出棒と、導体引出棒の外周に設けられる絶縁筒と、絶縁筒の外周に設けられるポリマー被覆体とを有し、絶縁筒は導体引出棒の下方部位の外周部に設けられる大径の絶縁筒と導体引出棒の先端部を除く部分の外周部に設けられる小径の絶縁筒とを備えたポリマー套管（又は「ポリマー碍管」ともいう）がある。このポリマー套管は、大径の絶縁筒と小径の絶縁筒の連設部分に電界緩和用の埋込金具が埋設され、大径の絶縁筒の下端部に導体引出棒の端部に形成された導体挿入穴と連通されて電力ケーブル端末部のストレスコーンを受容するコーン状の受容口が設けられた構成を有している（例えば、特許文献１参照）。
【０００３】
そして、大径の絶縁筒の受容口から接続すべき一側の電力ケーブルの導体を挿入して導体引出棒の導体挿入穴に挿入接続し、小径の絶縁筒の上端から延出した導体引出棒の端部に接続すべき他側の電力ケーブルの導体端末に接続された導体固定端子を嵌合させて接続する。この導体固定端子は、一端に電力ケーブルの導体端末に接続する接続部が形成され、他端に導体引出棒の端部を嵌合挿入して接続するための導体挿入穴が形成された構造とされている（例えば、特許文献２参照）。
【特許文献１】特開２００３−３０４６３２号公報（３〜４頁、図１）
【特許文献２】特開２００２−８３６３６号公報（２頁、図３、図４）
【発明の開示】
【発明が解決しようとする課題】
【０００４】
上記ポリマー套管は、導体引出棒の一側（下側）端部の導体挿入穴に一側の電力ケーブルの導体端末が挿入されて接続固定され、導体引出棒の他側（上側）端部が他側の電力ケーブルの導体端末に接続された導体固定端子に形成された導体挿入穴に挿入されて接続される。
【０００５】
導体固定端子は導体挿入穴の内部に部品が設けられる場合と設けられない場合とがあり、何れの場合にも対応できるように導体挿入穴の深さが深く形成されている。このため、導体挿入構内に部品が設けられていない場合、導体引出棒の端部が導体固定端子の導体挿入穴に奥まで入ってしまい、導体挿入穴の周縁部がポリマー套管の絶縁筒の端部を損傷したり、変形したり、或いは破損してポリマー套管の絶縁性が低下するおそれがある。
【０００６】
本発明は上述の点に鑑みてなされたもので、導体引出棒の端部と電力ケーブル導体の端末に接続された導体固定端子とを接続する際に導体引出棒を覆う端末本体の損傷を防止するようにした気中端末接続箱を提供することを目的とする。
【課題を解決するための手段】
【０００７】
上記目的を達成するために本発明に係わる気中終端接続箱は、両端部が夫々電力ケーブルに接続される導体引出棒と、前記導体引出棒の周囲を覆い両端部を突出させた端末本体とを備え、前記導体引出棒の一方の端部を電力ケーブルに接続された導体固定端子の導体挿入穴に嵌合して接続する気中終端接続箱であって、前記導体引出棒の端部の前記端末本体の端部近傍位置にストッパを形成して前記導体挿入穴の周縁部が前記端末本体の端部に干渉することを防止することを特徴としている。
【０００８】
導体引出棒の一方の端部を接続すべき一方の電力ケーブルに接続された導体固定端子の導体挿入穴に挿入する。そして、導体引出棒の端部は、ストッパが導体挿入穴の開口端に当たる位置まで挿入される。これにより、導体固定端子の導体挿入穴の端部が端末本体の端部に衝突することが防止され、導体引出棒を導体固定端子に接続する際に端末本体の端部の損傷、変形或いは破損等が防止される。また、導体引出棒の他方の端部には接続すべき他方の電力ケーブルの導体端末が接続される。
【０００９】
また、本発明の請求項２に記載の気中終端接続箱は、請求項１に記載の気中終端接続箱において、前記端末部材はゴム部材で形成されていることを特徴としている。
【００１０】
ゴム部材により形成されている端末本体は、導体固定端子に導体引出棒の端部を接続する際に導体固定端子による端部の損傷、変形、破損等が防止される。
【００１１】
また、本発明の請求項３に記載の気中終端接続箱は、請求項１又は請求項２に記載の気中終端接続箱において、前記ストッパは導体引出棒の端部にリング状に形成されていることを特徴としている。
【００１２】
導体引出棒の端部に形成されたリング状のストッパは、導体固定端子の導体挿入穴の開口端面に全周に亘り当接して導体引出棒の端部が導体挿入穴に入り過ぎることを阻止する。
【発明の効果】
【００１３】
本発明によると、気中終端接続箱の導体引出棒の端部を電力ケーブルに接続された導体固定端子の導体挿入穴に挿入して接続する際に、ストッパにより挿入深さが規制されて導体挿入穴の開口端周縁部によりゴム部材等の絶縁部材で形成された端末本体が損傷したり、変形したり、或いは破損することを防止して、絶縁性の低下を防止することができる。
【００１４】
また、ストッパを導体引出棒の端部にリング状に形成することで、簡単な構成で導体固定端子の先端部が端末本体の端部に当たることを確実に防止することができる。
【発明を実施するための最良の形態】
【００１５】
以下、本発明の最良の実施形態を図面に基づいて詳細に説明する。
【００１６】
図１は、本発明に係わる気中終端接続箱の両端部に電力ケーブルを接続した状態の側面図を示し、気中終端接続箱１は、導体引出棒２と、導体引出棒２を被覆する端末本体３と、端末本体３の下端部３ｄに設けられた取付金具４からなる。気中終端接続箱１は、導体引出棒２の下端部に例えば電力を供給する側の電力ケーブル３０が接続され、その接続部が後述するようにゴムユニットで覆われて絶縁され、更に金属管１８で覆われて保護されている。金属管１８と電力ケーブル３０との接続部は、防水テープ１９により密封されている。そして、気中終端接続箱１は、取付金具４が支持碍子５１を介して支持架台５２に設置されている。また、導体引出棒２の上端部に例えば電力を受ける側の電力ケーブル４０に接続された導体固定端子４５が嵌合接続されている。
【００１７】
図２は、図１に示す気中終端接続箱１の断面図を示す。導体引出棒２は、導電性を有する中実の金属棒で、周囲が端末本体３で覆われ、上端部２ｂ、下端部２ｃが端末本体３の上端部３ｃ、下端部３ｄから延出されている。下端部２ｃの端末部２ｄは、その端面中央に電力ケーブル３０の導体端末を挿入接続するための導体挿入穴２ｅが形成されている。また、上端部２ｂの外周面には端末本体３の上端部３ｃから僅かに離隔した位置にストッパ２ｆが周方向に沿ってリング状に一体に形成されている（図５参照）。この導体引出棒２は、銅、アルミニウム、或いは銅合金、アルミ合金等により形成されている。尚、ストッパ２ｆは、導体引出棒２の上端部２ｂに一体に形成しても良く、或いはワイヤをリング状に形成して上端部２ｂに外嵌して銀ろう付け等により固定しても良い。
【００１８】
端末本体３は、例えばシリコーンゴム部材からなる套管で、例えば金型を用いて導体引出棒２の周囲に成形して設けられ、小径の円筒状をなす上部３ａと大径の円筒状をなす下部３ｂとが一体に形成される。上部３ａは、導体引出棒２の上端部２ｂを除く略上半分の周囲を覆っており、下部３ｂは、導体引出棒２の下端部２ｃを除く略下半分を覆っている（以下「小径円筒部３ａ」、「大径円筒部３ｂ」という）。この大径円筒部３ｂは、導体引出棒２の中央部２ａの略下半分の周囲を覆うエポキシ座５の周囲を覆っている。
【００１９】
エポキシ座５は、エポキシ樹脂部材からなり略矢尻形状をなしている。上部５ａは、上端が導体引出棒２の中央に向かって尖った円錐体をなし、下端が段差をなして円筒状に縮径して中央部５ｂに連設し、中央部５ｂは、上端から下端に向って拡径した略円錐体をなし、下部５ｃは、中央部５ｂの下端から段差をなして円筒状に縮径して下端部２ｃの周囲を端末部２ｄ近傍まで覆っている。このエポキシ座５は、導体引出棒２の周囲に密着して形成されている。
【００２０】
端末本体３の大径円筒部３ｂは、導体引出棒２の略下半分からエポキシ座５の中央部５ｂの後端まで同心的に覆っている。この大径円筒部３ｂは、エポキシ座５の上部５ａから中央部５ｂの下端までの長さよりも長く形成されており、小径円筒部３ａと階段状をなす連設部３ｅで連設されている。そして、小径円筒部３ａ、大径円筒部３ｂの外周面には傘状をなす襞部３ｆ，襞部３ｇが軸方向（長手方向）に沿って所定の間隔で多数形成されている。
【００２１】
そして、端末本体３の大径円筒部３ｂに導体引出棒２の略下半分の一部（略半分）の周囲を覆うように内在されているエポキシ座５の上部５ａ及び中央部５ｂにより電界緩和機構６が形成されている。この電界緩和機構６は、端末本体３の電界を緩和して電界の集中を防止し、外面の絶縁性能を高める機能を有している。
【００２２】
取付金具４は、端末本体３の大径円筒部３ｂの襞部３ｇよりも大径の円板とされ、中央に形成された孔４ａにエポキシ座５の下部５ｃが挿通され、孔４ａの周縁部に形成されたフランジ４ｂとこのフランジ４ｂの外側に同心的に形成されたフランジ４ｃがエポキシ座５の中央部５ｂの下端面と端末本体３の下端部３ｄの端面に埋設されて固定されている。取付金具４の周縁部近傍には支持碍子取付用のボルト挿通孔４ｄが周方向に沿って複数形成されている。
【００２３】
以下に図２に示した気中終端接続箱１を電力ケーブル３０に接続する手順について図３及び図４により説明する。尚、図３において図面の煩雑を避けるために気中終端接続箱１の一部とゴムユニット１１及び金属管１８を断面で示し、ハッチングを省略してある。
【００２４】
気中終端接続箱１は、図３に示すように取付金具４のボルト挿通孔４ｄ（図２）に支持碍子５１が取り付けられ、例えば導体引出棒２の上端部２ｂを上方に下端部２ｃを下方にして支持架台５２に垂直に設置される。また、例えば電力を供給する側の電力ケーブル３０の端末に絶縁用のゴムユニット１１と保護用の金属管１８とを予め挿入して設けてある。電力ケーブル３０は、被覆としてのビニルシース３１及び絶縁部材３２の端末が剥ぎ取られて導体（心線）３３の端末が裸出されている。
【００２５】
先ず、導体引出棒２の端末部２ｄの導体挿入穴２ｅに電力ケーブル３０の導体３３の端末を挿入し、端末部２ｄをカシメ加工して電気的及び機械的に接続固定する。そして、導体引出棒２の端末部２ｄと電力ケーブル３０の導体３３との接続部３４に導電性のテープ１７を巻回してエポキシ座５の下部５ｃ及び電力ケーブル３０の絶縁部材３２と略同じ外径にする。
【００２６】
次いで、ゴムユニット１１により接続部３４及びその両側のエポキシ座５の下部５ｃと電力ケーブル３０の絶縁部材３２の端末を覆い絶縁する。そして、金属管１８によりゴムユニット１１を覆い、フランジ１８ｂを取付金具４に図示しないボルトで固定し、他側端部１８ｃと電力ケーブル３０のビニルシース３１の端末に防水テープ１９を巻回して密封する。このようにして、電力ケーブル３０に導体引出棒２の下端部２ｃを接続固定し保護する。
【００２７】
一方、電力を受ける側の電力ケーブル４０は、被覆としてのビニルシース及び絶縁部材の端末が剥ぎ取られて導体（心線）の端末が例えば図４に示す導体固定端子４５の一側の接続部４５ａに接続されてボルト４６で固定されている。導体固定端子４５の他側の接続部４５ｂには導体引出棒２の上端部２ｂが嵌合可能な導体挿入穴４５ｃが形成されており、ボルト４７により締め付けられて縮径可能とされている。この導体挿入穴４５ｃは、仕様等により導体引出棒２の端末本体３の上端部３ｃから突出した上端部２ｂの長さが多少異なっている場合でもその付け根近傍まで挿入可能な深さに設定されている。
【００２８】
そして、導体固定端子４５の導体挿入穴４５ｃに導体引出棒２の上端部２ｂを挿入する。導体引出棒２の上端部２ｂの長さが導体挿入穴４５ｃの深さよりも短い場合、導体挿入穴４５ｃに上端部２ｂを挿入するとストッパ２ｆが導体挿入穴４５ｃの開口端面に当接して係止される。これにより、上端部２ｂの挿入が規制される。次いで、ボルト４７を締め付けて導体固定端子４５の接続部４５ｂと導体引出棒２の上端部２ｂとを電気的及び機械的に固定する。
【００２９】
ストッパ２ｆは、端末本体３の上端部３ｃから僅かに離隔しており、従って、導体固定端子４５の導体挿入穴４５ｃの開口端部及びその周縁部が端末本体３の上端部３ｃに当たることが防止され、ゴム部材で形成された端末本体３の上端部３ｃが損傷したり、変形したり、或いは破損することが防止される。これにより、端末本体３の絶縁性の低下が防止される。
【００３０】
図６及び図７は、導体引出棒２の上端部２ｂに形成するストッパの変形例を示す端面図である。図６は、導体引出棒２の上端部２ｂの外周面に突起２ｈを周方向に沿って等間隔で２個形成してストッパを形成したものである。また、図７は、導体引出棒２の上端部２ｂの外周面に突起２ｉを周方向に沿って等間隔で３個形成してストッパを形成したものである。これらの突起２ｈ，２ｉは、上端部２ｂの外周面に例えば銀ろう付けにより固定される。尚、導体引出棒２と導体固定端子４５とを接続する際、導体固定端子４５の挿入深さが規制できれば、導体引出棒２の上端部２ｂの外周面に設けられるストッパとしての突起は、１個でも周方向に沿って複数個設けても良く、また、どのような形状のものを設けても良い。
【００３１】
気中終端接続箱１は、端末本体３がシリコーンゴム部材からなる絶縁部材により形成されていることで磁器製のものと比べて大幅に軽量化が図られると共に、上部３ａが小径の円筒形状とされ、下部３ｂが電界緩和機構６を内在して上部３ａよりも大径な円筒形状とされていることで重心が下部に位置しており、支持架台５２への支持が有利であり、更に風雪や振動特に地震等の揺れに対して強い構造となっている。また、絶縁油を使用していないために取付角度の制約もなく施工性が向上する。
【図面の簡単な説明】
【００３２】
【図１】本発明に係わる気中終端接続箱の両端部に電力ケーブルを接続した状態の側面図である。
【図２】図１に示した気中終端接続箱の断面図である。
【図３】図２に示した気中終端接続箱の下端部に電力ケーブルの導体を接続した状態の一部切欠側面図である。
【図４】図２に示した導体引出棒の上端部に電力ケーブルに接続された導体固定端子を接続部した状態の一部切欠拡大図である。
【図５】図２に示した導体引出棒の上端部に形成されたストッパの端面図である。
【図６】図２に示した導体引出棒の上端部に形成されるストッパの変形例を示す端面図である。
【図７】図２に示した導体引出棒の上端部に形成されるストッパの変形例を示す端面図である。
【符号の説明】
【００３３】
１    気中終端接続箱
２    導体引出棒
２ａ    中央部
２ｂ    上端部
２ｃ    下端部
２ｄ    端末部
２ｅ    導体挿入穴
２ｆ    ストッパ
２ｈ，２ｉ    突起（ストッパ）
３    端末本体
３ａ    上部（小径円筒部）
３ｂ    下部（大径円筒部）
３ｃ    上端部
３ｄ    下端部
３ｅ    連設部
３ｆ，３ｇ    襞部
４    取付金具
４ａ    孔
４ｂ，４ｃ    フランジ
４ｄ    ボルト挿通孔
５    エポキシ座
５ａ    上部
５ｂ    中央部
５ｃ    下部
６    電界緩和機構
１１    ゴムユニット
１７    導電性のテープ
１８    金属管
１８ｂ    フランジ
１８ｃ    端部
１９    防水テープ
３０    電力ケーブル
３１  ビニルシース
３２    絶縁部材
３３    導体（心線）
３４    接続部
４０    電力ケーブル
４５    導体固定端子
４５ａ，４５ｂ    接続部
４５ｃ    導体挿入穴
４６，４７    ボルト
５１    支持碍子
５２    支持架台
【図１】
2007151310.tif 000003
【図２】
2007151310.tif 000004
【図３】
2007151310.tif 000005
【図４】
2007151310.tif 000006
【図５】
2007151310.tif 000007
【図６】
2007151310.tif 000008
【図７】
2007151310.tif 000009